(57)【要約】【課題】収納箱を構成する別々のケースを結合する止ねじの封印構造によって、収納部品への不正行為の防止と封印構造の不正破壊の把握と収納部品の再生とを図る。【解決手段】収納部品４がケースベース５に取り付けられ、ケースカバー６が収納部品４を覆いつつケースベース５に被せられ、複数の止ねじ７がケースカバー６を貫通してケースベース５に締結されることによって、収納箱１が収納部品４を密封状に格納し、封印挿入孔８が封印突起９に嵌め込まれ、封印構造体３が１本の止ねじ７におけるケースカバー６の外側に存在する頭部１０を被覆し、封印突起９における封印構造体３のケースカバー６から離れる方向に突出した端部が封印挿入孔８よりも径方向に大きく押し潰されて押潰部として形成され、封印突起９および封印構造体３が陥没部３８に取り込まれてケースベース５の外面よりも外側に突出せず、封印突起９および封印構造体３の破損が防止できる。【選択図】図１
2007068734.tif 000002
【特許請求の範囲】
【請求項１】
収納箱、収納箱を結合するための複数の止ねじのうちの少なくとも１つの止ねじに対応して収納箱に一体に設けられた封印固着部、収納箱および封印固着部と別に形成された封印構造体を備え、封印固着部が収納箱の外面から内部への窪みとして構成される陥没部と陥没部の内部に設けられた封印突起とを備えるかまたは収納箱の外面から外側への突起として構成される保護壁と保護壁で囲まれる内部に設けられた封印突起とを備え、封印構造体が封印挿入孔を備え、収納箱に収納する収納部品が収納箱の一方を形成するケースベースに取り付けられ、収納箱のもう一方を形成するケースカバーが収納部品を覆いつつケースベースに被せられ、複数の止ねじがケースベースとケースカバーとを締結し、収納部品がケースベースとケースカバーとによって密封された内部空間に格納され、封印構造体が複数の止ねじのうちにおける少なくとも１本の止ねじの収納箱から外側に存在する頭部を被覆するように、封印挿入孔と封印突起とが互いに嵌め合わされ、封印突起における封印構造体から突出した端部が封印挿入孔よりも径方向に大きく押し潰される押潰部として形成されたことを特徴とする遊技機の収納箱封印装置。
【請求項２】
封印構造体および押潰部を覆い隠す防犯シールが収納箱に取り付けられたことを特徴とする請求項１記載の遊技機の収納箱封印装置。
【請求項３】
防犯シールを取り込むシール収容部が収納箱に設けられたことを特徴とする請求項２記載の遊技機の収納箱封印装置。
【請求項４】
収納箱における封印固着部を設けるための収納箱と封印固着部とが光を透過する合成樹脂により一体に形成されたことを特徴とする請求項１記載の遊技機の収納箱封印装置。
【発明の詳細な説明】
【技術分野】
【０００１】
本発明は、収納箱を構成する別々のケースを結合する止ねじの封印構造によって、収納部品への不正行為の防止と封印構造の不正破壊の把握と収納部品の再生とが図れる遊技機の収納箱封印装置に関する。
【背景技術】
【０００２】
遊技機の収納箱封印装置には、被覆側ケースと固定側ケースとが互いに正規の閉蓋状態となるように嵌め合わされると、被覆側ケースの規制片が固定側ケースのかしめ片に重ね合わされ、かしめ片のかしめ突起が規制片のかしめ孔を経由して規制片の上方に突出し、この突出部を熱かしめすることによって、熱かしめ部分が破壊されない限り、被覆側ケースと固定側ケースとによる正規の閉蓋状態が解除されることがないようにすることが知られている（特許文献１の段落番号００１２乃至００１４、００１７参照）。しかしながら、固定側ケースと別に形成したかしめ片が固定側ケースにねじ止めされる複雑な構造であるうえ、被覆側ケースと固定側ケースとからなる収納箱の長い方の側部における中央部の１箇所で熱かしめを行う構造であるので、熱かしめした突出部を破壊しないように、収納箱における長い方の側部の両側をこじあけて、内部の電気部品に不正が行われるという欠点があった。上記と別な、基板ケースと台板とが互いに正規の閉蓋状態となるように嵌め合わされて止ねじで結合された後、止ねじの存在する基板ケースの凹部に封止栓を有機溶剤系接着剤で取り付け、凹部および止ねじの頭部を封止栓で密封することも知られている（特許文献２の段落番号００２２、００３０参照）。しかしながら、基板ケースと台板とを結合している２本の止ねじの全部を封止栓で密封する複雑な構造であるうえ、封止栓が有機溶剤系接着剤で基板ケースに結合しているために、収納箱封印装置が遊技店から使用済遊技機として廃棄処分されて回収され、この回収した収納箱封印装置を解体し、内部の電気部品を再生する場合、封止栓を取り除く作業に多大な労力と時間を要するので、その労力と時間を少なくしようとして、基板ケースを全体的に破壊した場合、内部の電気部品が損傷を受けて再生できなくなるという欠点があった。さらに、上記２つと別な、蓋体とボックス本体とが互いに正規の閉蓋状態となるように嵌め合わされて止ねじで結合された後、ホログラムシールを止ねじの頭部を覆い隠すように蓋体に接着することも知られている（特許文献３の段落番号００２８参照）。しかしながら、ホログラムシールが剥がされ、内部の電気部品に不正が行われた後、ホログラムシールが再び元の位置に接着された場合、収納箱封印装置を外側から見た人は、電気部品に不正が行われたか行われていないかを容易に把握することができないという欠点があった。
【特許文献１】特開平９−２３４２８１号公報
【特許文献２】特開平９−２９００５４号公報
【特許文献３】特開平１０−１６５６０６号公報
【発明の開示】
【発明が解決しようとする課題】
【０００３】
発明が解決しようとする問題点は、収納箱を構成する別々のケースを結合する止ねじの封印構造で、収納部品への不正行為を適切に防止することができず、封印構造が不正に破壊されたことを容易に把握することができず、ケースを破壊せずに封印構造を簡単に除去して収納部品を再生することができないという点である。
【課題を解決するための手段】
【０００４】
本発明に係る遊技機の収納箱封印装置は、収納箱、収納箱を結合するための複数の止ねじのうちの少なくとも１つの止ねじに対応して収納箱に一体に設けられた封印固着部、収納箱および封印固着部と別に形成された封印構造体を備え、封印固着部が収納箱の外面から内部への窪みとして構成される陥没部と陥没部の内部に設けられた封印突起とを備えるかまたは収納箱の外面から外側への突起として構成される保護壁と保護壁で囲まれる内部に設けられた封印突起とを備え、封印構造体が封印挿入孔を備え、収納箱に収納する収納部品が収納箱の一方を形成するケースベースに取り付けられ、収納箱のもう一方を形成するケースカバーが収納部品を覆いつつケースベースに被せられ、複数の止ねじがケースベースとケースカバーとを締結し、収納部品がケースベースとケースカバーとによって密封された内部空間に格納され、封印構造体が複数の止ねじのうちにおける少なくとも１本の止ねじの収納箱から外側に存在する頭部を被覆するように、封印挿入孔と封印突起とが互いに嵌め合わされ、封印突起における封印構造体から突出した端部が封印挿入孔よりも径方向に大きく押し潰される押潰部として形成されたことを最も主要な特徴とする。封印構造体および押潰部を覆い隠す防犯シールが収納箱に取り付けられたり、防犯シールを取り込むシール収容部が収納箱に設けられたり、収納箱における封印固着部を設けるための収納箱と封印固着部とが光を透過する合成樹脂により一体に形成されたりしてもよい。
【発明の効果】
【０００５】
本発明に係る遊技機の収納箱封印装置は、収納部品がケースベースとケースカバーとによって密封された内部空間に格納され、封印構造体が複数の止ねじのうちにおける少なくとも１本の止ねじの収納箱から外側に存在する頭部を被覆し、封印挿入孔と封印突起とが互いに嵌め合わされ、封印突起における封印構造体から突出した端部が封印挿入孔よりも径方向に大きく押し潰されて押潰部として形成されるので、ケースベースとケースカバーとが互いに複数の止ねじで結合する構造であっても、最小個数である１個の止ねじを封印固定部と封印構造体とからなる封印構造で弛緩操作不能な状態に覆い隠し、押潰部が破壊されない限り封印構造体を封印固着部および収納箱から取り外し不能に支持し、止ねじで結合された収納箱を開くことができないように封印し、収納箱の外側から内部の収納部品への不正行為を防止することができ、押潰部が不正に破壊された場合、人が収納箱の外側から破壊箇所を見ることによって、押潰部が破壊されたか破壊されていないかを適切に把握することができ、収納箱封印装置が遊技店から使用済遊技機として廃棄処分されて回収され、この回収した収納箱封印装置を解体し、内部の電気部品を再生する場合、収納箱の外側から押潰部を封印構造体の外側面に沿う方向に簡単に破壊することができるという利点がある。しかも、封印固着部の封印突起が陥没部に収められて収納箱の外側に突出していないので、収納箱が運搬される過程において、封印突起が周囲の物に衝突することがなく、封印突起が破壊されないという利点がある。また、封印構造体が封印固着部に取り付けられた場合においても、封印構造体が陥没部に収められて収納箱の外側に突出していないので、収納箱封印装置が運搬される過程において、封印構造体や封印突起が周囲の物に衝突することがなく、封印構造体や封印突起が破壊されないという利点がある。封印構造体および押潰部を覆い隠す防犯シールが収納箱に取り付けられれば、封印構造体の存在をカモフラージュすることができるという利点がある。防犯シールを取り込むシール収容部が収納箱に設けられれば、防犯シールが収納箱から外側に突出しないので、防犯シールが剥がしづらいという利点がある。収納箱における封印固着部を設けるための収納箱と封印固着部とが光を透過する合成樹脂により一体に形成されれば、押潰部が破壊された場合、その破壊箇所が白濁するので、人が収納箱の外側から破壊箇所を見ることによって、押潰部が破壊されたか破壊されていないかを容易に把握することができるという利点がある。
【発明を実施するための最良の形態】
【０００６】
図１および図２は、発明を実施するための最良の形態である。図１は、遊技機の収納箱封印装置を分解して示す。図２は、収納箱封印装置の組立工程を示す。図３は、ケースベースとケースカバーとの関係を示す。本明細書において、「前」、「後」、「裏」、「左」、「右」、「上」、「下」の方向は、図１の状態に収納箱封印装置を置いて矢印Ａで示す前側から見た場合に特定される方向である。「後」と「裏」とは同じ方向である。
【０００７】
図１を参照し、遊技機の収納箱封印装置の構造について説明する。収納箱封印装置は、収納箱１、収納箱１に一体に設けられた封印固着部２、収納箱１および封印固着部２と別に形成された封印構造体３を備える。そして、収納箱１に収納する収納部品４が収納箱１の一方を形成するケースベース５に取り付けられた状態において、収納箱１のもう一方を形成するケースカバー６が収納部品４を覆いつつケースベース５に被せられ、タッピングスクリューのような複数の止ねじ７がケースカバー６を貫通してケースベース５に締結されることによって、収納部品４がケースベース５とケースカバー６とによって密封された内部空間に格納される。その後、封印構造体３における複数の封印挿入孔８が封印固着部２における複数の封印突起９に嵌め込まれ、封印構造体３が１本の止ねじ７におけるケースカバー６の外側に存在する頭部１０を被覆し、複数の封印突起９における封印構造体３のケースカバー６から離れる方向に突出した端部が封印挿入孔８よりも径方向に大きく押し潰されることによって押潰部４６（図２のｂ図参照）として形成され、この形成された押潰部４６が破壊されない限り封印構造体３を封印固着部２およびケースカバー６から取り外し不能に支持し、封印構造体３が止ねじ７を弛緩操作不能に覆い隠し、止ねじ７で結合された収納箱１を開くことができないように封印する。
【０００８】
収納箱封印装置の構成部品について詳述する。ケースベース５は、鉄系の金属板により、ベース基盤１２、側壁１３；１４；１５；１６、突片１７、カバー取付足１８、取付孔１９を備えた、一体の形状に構成される。ベース基盤１２は、方形板状である。側壁１３乃至１６は、ベース基盤１２の４つの周縁からケースベース５の裏側の方向であるケースカバー６の方向にベース基盤１２と直角となるように折り曲げられる。相対峙する１組を構成する側壁１３；１４のベース基盤１２からの高さは、相対峙するもう１組を構成する２つの側壁１５；１６のベース基盤１２からの高さと同じである。突片１７は、側壁１３；１４における側壁１５；１６の方向に位置する両端からケースベース５の裏側の方向に直線的に個別に突出する。カバー取付足１８は、４つの突片１７から内側の方向であるベース基盤１２の方向に突片１７と直角となるように個別に折り曲げられる。取付孔１９は、止ねじ７のねじ部２０を締結する孔であって、カバー取付足１８に、前後方向への貫通孔として個別に形成される。
【０００９】
収納部品４は、画像表示器２１、制御回路基板２２、駆動回路基板２３を備える。画像表示器２１は、画像を表示画面に電気的に表示形態を変えるように表示する液晶表示器のような面状表示器である。画像表示器２１は、表示画面をベース基盤１２の方向である前側に向けて、ケースベース５に取り付けられる。制御回路基板２２には、画像表示器２１を制御する電気部品が実装された構造である。駆動回路基板２３には、画像表示器２１を駆動する電気部品が実装された構造である。制御回路基板２２および駆動回路基板２３は、画像表示器２１の裏側に配置されてケースベース５に取り付けられる。
【００１０】
ケースカバー６は、光を透過する無色の熱可塑性の合成樹脂により、封印固着部２、カバー基盤２５、側壁２６；２７；２８；２９、ねじ挿入孔３０、頭部収納部３１、装置取付部３２；３３、被覆空間３４、取付孔３５、放熱孔３６を備えた、一体の形状に構成される。カバー基盤２５は、方形板状である。側壁２６乃至２９は、カバー基盤２５の４つの周縁からケースカバー６の前側の方向であるケースベース５の方向にカバー基盤２５と直角となるよう突出し、互いに連接される。ねじ挿入孔３０は、止ねじ７のねじ部２０を挿入する部分であって、カバー基盤２５の四隅に、前後方向への貫通孔として設けられる。頭部収納部３１は、止ねじ７の頭部１０が収納されることによって、頭部１０がカバー基盤２５の裏面から裏側に突出する寸法を少なくする部分であって、ねじ挿入孔３０の周囲において、止ねじ７の頭部１０の外径よりも大きな内径を有し、カバー基盤２５の裏面から内部に窪む窪みとして、カバー基盤２５の四隅に設けられる。
【００１１】
装置取付部３２は、収納箱封印装置の収納箱１を遊技機としてのパチンコ機における遊技盤の裏側または遊技盤を格納する遊技機枠の裏側に取り付ける部分であって、側壁２８から上側に突出する。装置取付部３３は、収納箱封印装置の収納箱１を遊技機としてのパチンコ機における遊技盤の裏側または遊技盤を格納する遊技機枠の裏側に取り付ける部分であって、側壁２９から下側に突出する。被覆空間３４は、カバー基盤２５の前側において、カバー基盤２５と側壁２６乃至２９とで囲まれ、前方に開口した角箱形に形成される。取付孔３５は、装置取付部３３に、収納箱１を遊技盤または遊技機枠に固定する固着具を挿入する部分として設けられる。放熱孔３６は、カバー基盤２５や側壁２６乃至２９に多数設けられる。放熱孔３６は、一部を図示し、全部を図示してない。カバー基盤２５の一側には、カバー基盤２５の前後方向に貫通する図外の開口部が設けられる。この図外の開口部は、制御回路基板２２に実装された図外のコネクタを、ケースカバー６がケースベース５に被せられた場合に臨ませ、当該図外のコネクタに制御回路基板２２や駆動回路基板２３と別に形成された電気的な装置における図外のコネクタをケースカバー６の外側から嵌め込む部分である。上記制御回路基板２２や駆動回路基板２３と別に形成された電気的な装置は、例えば、パチンコ機の遊技全般を制御する制御装置である。
【００１２】
封印固着部２は、複数のねじ挿入孔３０のうちの少なくとも１つのねじ挿入孔３０に対して設けられ、封印突起９、陥没部３８、位置決め部３９、突壁４０を備える。封印突起９は、陥没部３８の内部に設けられる。具体的には、封印突起９は、陥没部３８の内部に位置する突壁４０に設けられ、陥没部３８からカバー基盤２５の裏面よりも裏側に突出しないように、突壁４０の裏側に直線的に個別に突出する。陥没部３８は、カバー基盤２５における１つのねじ挿入孔３０の周囲に、カバー基盤２５の外面から内部への窪みとして設けられる。位置決め部３９は、位置決め部４３を受け止める部分であって、陥没部３８の一隅に設けられる。突壁４０は、陥没部３８の裏面から裏側に突出し、頭部収納部３１を間に配置するように頭部収納部３１の両側の位置で相対峙する。封印突起９の突壁４０からの突出量は、封印構造体３における封印基盤４２の封印挿入孔８の形成された部分の前後方向の厚さより大きな、寸法になっている。
【００１３】
封印構造体３は、光を透過する無色な合成樹脂により、封印挿入孔８、封印基盤４２、位置決め部４３、リブ４４を備えた、一体の形状に構成される。封印挿入孔８は、封印突起９を挿入する孔であって、封印基盤４２に、前後方向への貫通孔として成形される。封印基盤４２は、陥没部３８に挿入される大きさの方形板状である。位置決め部４３は、位置決め部３９を受け止める部分であって、封印基盤４２の一隅に設けられる。リブ４４は、突壁４０の間に配置されるように、封印基盤４２の側縁部からケースカバー６の方向に突出する。リブ４４どうしの対向間隔は、封印構造体３が封印固着部２に取り付けられた場合、リブ４４がケースベース５とケースカバー６とを結合した止ねじ７の頭部１０に接触しない、寸法になっている。リブ４４における封印基盤４２の前面から前側への突出量は、封印構造体３が封印固着部２に取り付けられた場合、リブ４４が陥没部３８に接触するかまたは接触する程度の、寸法になっている。
【００１４】
収納箱封印装置の組立方について説明する。先ず、ケースカバー６の被覆空間３４における前側の開口がケースベース５の方向に向けられ、ケースカバー６がケースベース５に取り付けられた収納部品４を覆うようにケースベース５に被せられる。これによって、ベース基盤１２の裏面とカバー基盤２５の前面とが互いに前後方向で平行に向かい合い、側壁１３乃至１６が側壁２６乃至２９の内側に位置して互いに前後方向と直交する方向で平行に向かい合う。その後、複数の止ねじ７のねじ部２０が頭部収納部３１からねじ挿入孔３０を経由してカバー取付足１８の取付孔１９に個別に締結されることによって、止ねじ７の頭部１０がねじ挿入孔３０の周囲における頭部収納部３１に着座し、ケースベース５とケースカバー６とが図２のａ図に示すように止ねじ７で結合される。
【００１５】
次に、封印固着部２における１本の止ねじ７がケースベース５とケースカバー６とを締結し、頭部１０が頭部収納部３１に着座された後、封印構造体３のリブ４４が封印固着部２の方向に向けられる。そのままの状態で、封印挿入孔８が封印突起９に嵌め込まれ、リブ４４が複数の突壁４０の間に挿入され、位置決め部４３と位置決め部３９とが互いに嵌め合わされ、封印基盤４２の前面が複数の突壁４０の裏面に接触する。そして、図２のｂ図に示すように、封印突起９の封印基盤４２から裏側に突出した部分が押し潰されて押潰部４６となる。
【００１６】
封印突起９に対する押し潰しは、封印突起９が熱可塑性の合成樹脂から形成されていることから、加圧かつ加熱を封印基盤４２から突出した封印突起９の真上から封印突起９に加えることによって行われる。その場合、合成樹脂を接合する超音波加工機を使用し、超音波振動している共振器の接合作用部を封印突起９の端面に押し付けることによって、接合作用部における超音波の伝播方向に振動している超音波振動が封印突起９の端面を真上から叩くように封印突起９に作用し、封印突起９における封印基盤４２から突出した部分が封印基盤４２の板面と平行な方向に広がるように押し潰されて押潰部４６となる。押潰部４６が形成されることによって、押潰部４６を破壊しない限り、封印構造体３が封印固着部２に取り外し不可能に結合される。
【００１７】
最良の形態では、封印固着部２の封印突起９および突壁４０が陥没部３８に収められてケースカバー６の外側に突出していない構造であるので、ケースカバー６が運搬される過程において、封印突起９および突壁４０が周囲の物に衝突することがなく、封印突起９および突壁４０が破壊されないという利点がある。封印構造体３が封印固着部２に取り付けられた場合においても、封印構造体３が陥没部３８に収められてケースカバー６の外側に突出していない構造であるので、収納箱封印装置が運搬される過程において、封印構造体３や封印突起９および突壁４０が周囲の物に衝突することがなく、封印構造体３や封印突起９および突壁４０が破壊されないという利点がある。封印固着部２を備えたケースカバー６が光を透過する性質の有る合成樹脂により形成されているので、押潰部４６が破壊された場合、その破壊箇所が白濁するので、押潰部４６が破壊されていれば、封印固着部２を見た人が収納箱１に対し何らかの不正行為が行われたものと適切かつ容易に判断することができる。また、ケースベース５を合成樹脂で形成してもよいが、ケースベース５が金属板により形成されているので、ケースベース５を合成樹脂で形成した場合に比べ、ケースベース５とケースカバー６との結合強度が高くなる。
【００１８】
収納箱封印装置が使用済部品として回収された場合、押潰部４６を破壊した後、ケースベース５とケースカバー６とを結合している止ねじ７を取り外し、ケースカバー６をケースベース５から取り外して、図１に示すように、収納箱１を開き、収納部品４を簡単に使用するように再生することができる。そして、収納部品４が正常に使用できるかできないかを電気的に検査し、収納部品４が正常に使用できる場合、前述した組立方で、ケースベース５と封印固着部２を備えたケースカバー６および封印構造体３により収納箱封印装置を組み立てる。この場合、封印固着部２を備えたケースカバー６および封印構造体３は新しい物を使う。
【００１９】
図３を参照し、ケースベース５の側壁１３；１４や突片１７およびカバー取付足１８とケースカバー６の側壁２６；２７との関係について説明する。ケースカバー６がケースベース５に被せられた状態において、側壁１４と側壁２７とが互いにベース基盤１２の板面と平行な方向で全体的に前後方向に対向し、側壁１４の側と側壁２７の側とが中心となるように、ケースカバー６が矢印Ｘ方向に斜めに開けられた場合、側壁２６が突片１７とカバー取付足１８との連接部４８に接触する。よって、側壁２６が連接部４８に接触した時点において、それ以上、ケースカバー６が矢印Ｘ方向に移動せず、ケースカバー６が斜めに開けられることはない。そして、側壁２６が連接部４８に接触した場合にあっても、ケースカバー６の斜めに開けられた側において、側壁１３と側壁２６とが互いにベース基盤１２の板面と平行な方向に対向しているように、側壁１３のベース基盤１２からの高さＨ２と側壁２６のカバー基盤２５からの高さＨ３とが設定されている。
【００２０】
よって、ケースカバー６がケースベース５に被せられ、ベース基盤１２とカバー基盤２５とが互いに平行となった状態において、ケースカバー６が前記のように斜めに開けられたとしても、側壁２６が連接部４８に接触した時点で、それ以上、ケースカバー６が斜めに開けられることがなく、側壁２６と側壁１３とが互いにベース基盤１２の板面と平行な方向で重なり合っている。このため、図１に示すように、ケースベース５とケースカバー６とが互いに四隅における止ねじ７で結合される構造であっても、最小個数である１個の止ねじ７を封印固着部２と封印構造体３とからなる封印構造で弛緩操作不能な状態に覆い隠せば、押潰部４６が破壊されない限り、収納箱１の外側から内部の収納部品４におけるＣＰＵやＲＯＭならびにＲＡＭを不正改造品に交換するような不正行為を防止することができる。ベース基盤１２に前後方向に貫通して形成された窓４９は、図１の画像表示器２１の表示画面に表示された画像を収納箱１の前側から見せる開口である。
【産業上の利用可能性】
【００２１】
収納部品４は、画像表示器２１が存在せず、制御に必要な電気部品の実装された制御基板だけでもよい。この場合、ケースベース５に窓４９を設ける必要はない。ケースベース５を合成樹脂により形成し、止ねじ７がケースベース５を貫通してケースカバー６に締結する構造とし、ケースベース５に封印固着部２を設けてもよい。リブ４４は、設けなくてもよい。図２のｂ図に仮想線で示す防犯シール５１で封印構造体３を覆い隠すことによって、封印構造体３の存在をカモフラージュしても良い。防犯シール５１には、改ざん防止シール、ぜい質シール、ＤＮＡシール、隠蔽シール、ホログラムシールなどが用いられる。改ざん防止シールは、貼り付けた改ざん防止シールを剥がすと、「開封済」、「ＶＯＩＤ」などの文字がケースカバー６に残存する構造である。ぜい質シールは、貼り付けたぜい質シールを剥がそうとすると、ぜい質シール自体がぼろぼろに破壊され、ぜい質シールがケースカバー６から剥がすことができない構造である。ＤＮＡシールは、ＤＮＡという唯一無二の情報を秘匿した状態で書き込まれたミューチップのようなデータ記憶部材の埋め込まれた構造である。隠蔽シールは、はがきに記載された情報を隠蔽するために開発されたものであって、貼り付けた隠蔽シールを剥がすと二度とケースカバー６に貼り付けることができない構造である。ホログラムシールは、各種証明書や商品パッケージなどに貼り付ける偽造防止シールとして開発された構造である。
【００２２】
図４は、第１の異なる形態を示す。図４のａ図に示すように、シール収容部５２がケースカバー６の陥没部３８の周囲においてカバー基盤２５の外面から内部への窪みとして設けられる。防犯シール５１は、シール基盤５３の一表面に粘着層５４を有し、粘着層５４の一表面に剥離紙５５を備える。そして、図４のｂ図に示すように、封印構造体３が封印固着部２に押潰部４６で取り外し不可能に取り付けられた、剥離紙５５が粘着層５４から剥ぎ取られ、粘着層５４がケースカバー６に向けられ、シール基盤５３がケースカバー６の裏側からシール収容部５２に取り込まれ、粘着層５４の剥離紙５５の剥ぎ取られた一表面がシール収容部５２の裏面に押し付けられることによって、防犯シール５１が封印構造体３や押潰部４６を覆い隠してケースカバー６に取り付けられる。このように防犯シール５１がケースカバー６に取り付けられた場合、防犯シール５１がカバー基盤２５から外側に突出しないので、防犯シール５１が剥がしづらいという利点がある。
【００２３】
図５は、第２の異なる形態を示す。図５のａ図に示すように、封印構造体３には押潰収容部５６が設けられる。押潰収容部５６は、封印構造体３の裏側の方向である防犯シール５１の方向の面に、当該面から封印構造体３の内部への窪みとして、封印挿入孔８と同軸に設けられる。そして、図５のｂ図に示すように、防犯シール５１が封印構造体３や押潰部４６を覆い隠してケースカバー６に取り付けられた場合、粘着層５４が封印構造体３の裏面に接着され、防犯シール５１が封印構造体３から浮き上がらず、防犯シール５１がケースカバー６に取り付けられた形態が安定するという利点がある。
【００２４】
図６は、第３の異なる形態を示す。図６のａ図に示すように、封印固着部２が図１の陥没部３８に代わる保護壁５７を備える。位置決め部３９や突壁４０および保護壁５７が、カバー基盤２５の裏面から裏側に突出する。保護壁５７は、１つのねじ挿入孔３０、頭部収納部３１、突壁４０を取り囲むとともに封印構造体３を取り込むような、方形な内部空間をカバー基盤２５の裏面に形成する。位置決め部３９は、保護壁５７の一隅に設けられる。図６のｂ図に示すように、封印突起９が、保護壁５７よりも裏側に突出していない構造であるので、ケースカバー６が運搬される過程において、封印突起９および突壁４０が保護壁５７で取り囲まれて周囲の物に衝突することがなく、係る衝突で封印突起９および突壁４０が破壊されないという利点がある。図６のｃ図に示すように、封印構造体３が封印固着部２に取り付けられた場合においても、封印構造体３が保護壁５７で取り囲まれ保護壁５７よりも裏側に突出していない構造であるので、収納箱封印装置が運搬される過程において、封印構造体３や封印突起９および突壁４０が周囲の物に衝突することがなく、係る衝突で封印構造体３や封印突起９および突壁４０が破壊されないという利点がある。
【図面の簡単な説明】
【００２５】
【図１】収納箱封印装置の分解斜視図（最良の形態）。
【図２】収納箱封印装置の組立工程を示す工程図（最良の形態）。
【図３】ケースベースとケースカバーとの関係を示す断面図（最良の形態）。
【図４】ａ図は収納箱封印装置の分解斜視図、ｂ図は収納箱封印装置の組立断面図（第１形態）。
【図５】ａ図は収納箱封印装置の分解斜視図、ｂ図は収納箱封印装置の組立断面図（第２形態）。
【図６】ａ図は収納箱封印装置の分解斜視図、ｂ図は収納箱封印装置の分解断面図、ｃ図は収納箱封印装置の組立断面図（第３形態）。
【符号の説明】
【００２６】
１    収納箱
２    封印固着部
３    封印構造体
４    収納部品
５    ケースベース
６    ケースカバー
７    止ねじ
８    封印挿入孔
９    封印突起
１０  頭部
３０  ねじ挿入孔
３１  頭部収納部
３８  陥没部
４６  押潰部
５７  保護壁
【図１】
2007068734.tif 000003
【図２】
2007068734.tif 000004
【図３】
2007068734.tif 000005
【図４】
2007068734.tif 000006
【図５】
2007068734.tif 000007
【図６】
2007068734.tif 000008